(57)【要約】【課題】梱包等の必要がなく管径の異なる複数の有孔管を一纏めにすることができ、運搬時の荷崩れの心配がなく、且つ、着脱が容易な有孔管の仮固定ピンを提供する。【解決手段】管径の異なる複数の有孔管の全ての管を最大径の管内に挿入した状態で、前記複数の有孔管の全ての管の孔に挿通されることで前記復数の有孔管同士のスライド移動を一時的に仮固定する挿抜自在の有孔管の仮固定ピン１において、挿抜の際に把持して掴む把持部２と、把持部２と接続してその一端が折り返された脚部３と、を具備し、脚部３には、把持部２と接続しない先端に設けられて前記複数の有孔管の各管の孔に挿通する際のガイドとなる直線状のガイド部３０と、ガイド部３０と接続して前記複数の有孔管のいずれかの管の前記孔に係止される係止部３１と、係止部３１と接続して前記複数の有孔管の全ての管に亘って挿通される長さを有する直線状の仮固定部３２と、を設ける。【選択図】図５
2018165445.tif 000002
【特許請求の範囲】
【請求項１】
管径の異なる複数の有孔管の全ての管を最大径の管内に挿入した状態で、前記複数の有孔管の全ての管の孔に挿通されることで前記復数の有孔管同士のスライド移動を一時的に仮固定する挿抜自在の有孔管の仮固定ピンであって、
挿抜の際に把持して掴む把持部と、前記把持部と接続してその一端が折り返された脚部と、を備え、
前記脚部は、前記把持部と接続しない先端に設けられて前記複数の有孔管の各管の孔に挿通する際のガイドとなる直線状のガイド部と、前記ガイド部と接続して前記複数の有孔管のいずれかの管の前記孔に係止される係止部と、前記係止部と接続して前記複数の有孔管の全ての管に亘って挿通される長さを有する直線状の仮固定部と、を有すること
を特徴とする有孔管の仮固定ピン。
【請求項２】
前記係止部は、前記ガイド部と前記仮固定部の線材の軸と傾斜し、挿入時に前記孔と当接する第一傾斜部と、前記ガイド部と前記仮固定部の線材の軸と傾斜し、引き抜き時に前記孔と当接する第二傾斜部と、を有すること
を特徴とする請求項１に記載の有孔管の仮固定ピン。
【請求項３】
前記脚部は、前記把持部の両端が折り返されて左右一対設けられ、
全体として一端が開放された側面視コの字状となっていること
を特徴とする請求項１又は２に記載の有孔管の仮固定ピン。
【請求項４】
前記係止部は、前記左右一対の脚部にそれぞれ設けられ、且つ、前記脚部の開放された一端からの距離が同じ位置に形成されていること
を特徴とする請求項３に記載の有孔管の仮固定ピン。
【請求項５】
前記係止部は、前記左右一対の脚部にそれぞれ設けられ、且つ、前記脚部の開放された一端からの距離が異なる位置に形成されていること
を特徴とする請求項３に記載の有孔管の仮固定ピン。
【請求項６】
前記係止部は、前記左右一対の脚部にそれぞれ設けられ、且つ、前記係止部の前記線材の軸から突出する向きが左右対称となっていること
を特徴とする請求項３〜５いずれか１項に記載の有孔管の仮固定ピン。
【請求項７】
前記係止部は、前記左右一対の脚部にそれぞれ設けられ、且つ、前記係止部の前記線材の軸から突出する向きが左右非対称となっていること
を特徴とする請求項３又は５に記載の有孔管の仮固定ピン。
【請求項８】
排水用の孔が穿設された管径の異なる複数の有孔管がそれぞれ突没自在に嵌合された多段式排水パイプを地中に貫入する多段式排水パイプの施工方法において、
請求項１〜７のいずれか１項に記載の有孔管の仮固定ピンを用いて、運搬前に前記多段式排水パイプの全ての管の孔に前記脚部を挿通し、前記係止部を複数の有孔管のいずれかの管の前記孔に係止して、
前記多段式排水パイプを地中に貫入する直前に前記仮固定ピンを引き抜くことを
特徴とする多段式排水パイプの施工方法。
【発明の詳細な説明】
【技術分野】
【０００１】
本発明は、管径の異なる複数の有孔管（孔空き管）の全ての管を最大径の管内に挿入した状態で、前記複数の有孔管の全ての管の孔に挿通されることで前記数の有孔管同士のスライド移動を一時的に仮固定する挿抜自在の有孔管の仮固定ピンに関する。より詳しくは、本発明は、排水用の孔が穿設された管径の異なる複数の有孔管がそれぞれ突没自在に嵌合された多段式排水パイプを運搬時に仮固定する多段式排水パイプ用の仮固定ピン、及びそれを用いた多段式排水パイプの施工方法に関する。
【背景技術】
【０００２】
従来、切土や盛土、自然斜面などの土の斜面内を流れる地下水を排水して斜面崩壊を防止する排水パイプにおいて、打ち込み時の抵抗力を少なくするために多段式とした多段式排水パイプが知られている。
【０００３】
例えば、特許文献１には、土砂部５の斜面に打ち込まれ、周壁に水抜き孔が形成された管体を備える排水パイプ１において、先端部１２の内径が根本部より縮径化された第１の管体１０と、第１の管体１０の先端部１２の内径よりも小径の本管部２１及び当該内径よりも拡径化された根本部２４を有する第２の管体２０とを備え、第２の管体２０は、挿入される第１の管体１０内の先端部２２に根本部２４を係止させつつ本管部２１を第１の管体１０から突出自在とされている多段式排水パイプ１が開示されている（特許文献１の特許請求の範囲の請求項１、明細書の段落［００２０］〜［００２９］図面の図１〜図４、等参照）。
【０００４】
従来、このような多段式排水パイプは、製作工場等から施工現場まで運搬する際には、複数の有孔管が不用意にスライドして突出してしまわないように、全ての管を最大径の管内に一纏めに収めた状態で管端をテープや包装紙等で梱包する必要があった。このため、梱包に時間が掛かる上、施工現場での梱包を外す作業にも時間が掛かってしまうという問題があった。
【０００５】
その上、運搬車両から多段式排水パイプを荷降ろしした後施工現場まで移動する際に施工現場まで到着する前に、管端の梱包が破けて、多段式排水パイプの移動が困難になるというおそれもあった。
【０００６】
なお、特許文献２には、地下水、浸透水等を排除するために地中に埋設される塩ビ管等の合成樹脂からなる有孔排水管１において、長孔５を介してピン６で嵌挿固定し、管の伸縮や輪圧等で地盤に変動が生じた場合でも、有孔排水管１同士が外れないようにした有孔排水管が開示されている（特許文献２の明細書の第２頁第８行目〜第１９行目、図面の第４図等参照）。
【０００７】
しかし、特許文献２に記載の有孔排水管１のピン６は、運搬時に仮固定するために適用することはできず、前記問題を解決することができるものではなかった。
【先行技術文献】
【特許文献】
【０００８】
【特許文献１】特開２０１５−１６６５１９号公報
【特許文献２】実公昭６３−３５０６６号公報
【発明の概要】
【発明が解決しようとする課題】
【０００９】
そこで、本発明は、前述した問題に鑑みて案出されたものであり、その目的とするところは、梱包等の必要がなく管径の異なる複数の有孔管を一纏めにすることができ、運搬時の荷崩れの心配がなく、且つ、着脱が容易な有孔管の仮固定ピン及びそれを用いた多段式排水パイプの施工方法を提供することにある。
【課題を解決するための手段】
【００１０】
第１発明に係る有孔管の仮固定ピンは、管径の異なる複数の有孔管の全ての管を最大径の管内に挿入した状態で、前記複数の有孔管の全ての管の孔に挿通されることで前記数の有孔管同士のスライド移動を一時的に仮固定する挿抜自在の有孔管の仮固定ピンであって、挿抜の際に把持して掴む把持部と、前記把持部と接続してその一端が折り返された脚部と、を備え、前記脚部は、前記把持部と接続しない先端に設けられて前記複数の有孔管の各管の孔に挿通する際のガイドとなる直線状のガイド部と、前記ガイド部と接続して前記複数の有孔管のいずれかの管の前記孔に係止される係止部と、前記係止部と接続して前記複数の有孔管の全ての管に亘って挿通される長さを有する直線状の仮固定部と、を有することを特徴とする。
【００１１】
第２発明に係る有孔管の仮固定ピンは、第１発明において、前記係止部は、前記ガイド部と前記仮固定部の線材の軸と傾斜し、挿入時に前記孔と当接する第一傾斜部と、記ガイド部と前記仮固定部の線材の軸と傾斜し、引き抜き時に前記孔と当接する第二傾斜部と、を有することを特徴とすることを特徴とする。
【００１２】
第３発明に係る有孔管の仮固定ピンは、第１発明又は第２発明において、前記脚部は、前記把持部の両端が折り返されて左右一対設けられ、全体として一端が開放された側面視コの字状となっていることを特徴とする。
【００１３】
第４発明に係る有孔管の仮固定ピンは、第３発明において、前記係止部は、前記左右一対の脚部にそれぞれ設けられ、且つ、前記脚部の開放された一端からの距離が同じ位置に形成されていることを特徴とする。
【００１４】
第５発明に係る有孔管の仮固定ピンは、第３発明において、前記係止部は、前記左右一対の脚部にそれぞれ設けられ、且つ、前記脚部の開放された一端からの距離が異なる位置に形成されていることを特徴とする。
【００１５】
第６発明に係る有孔管の仮固定ピンは、第３発明〜第５発明において、前記係止部は、前記左右一対の脚部にそれぞれ設けられ、且つ、前記係止部の前記線材の軸から突出する向きが左右対称となっていることを特徴とする。
【００１６】
第７発明に係る有孔管の仮固定ピンは、第３発明又は第５発明において、前記係止部は、前記左右一対の脚部にそれぞれ設けられ、且つ、前記係止部の前記線材の軸から突出する向きが左右非対称となっていることを特徴とする。
【００１７】
第８発明に係る多段式排水パイプの施工方法は、排水用の孔が穿設された管径の異なる複数の有孔管がそれぞれ突没自在に嵌合された多段式排水パイプを地中に貫入する多段式排水パイプの施工方法において、請求項１〜７のいずれか一項記載の有孔管の仮固定ピンを用いて、運搬前に前記多段式排水パイプの全ての管の孔に前記脚部を挿通し、前記係止部を前記多段式排水パイプのいずれかの管の前記孔に係止して、運搬し、前記多段式排水パイプを地中に貫入する直前に前記仮固定ピンを引き抜くことを特徴とする。
【発明の効果】
【００１８】
第１発明〜第７発明によれば、管径の異なる複数の有孔管の全ての管を最大径の管内に挿入した状態で一纏めにして仮固定ピンで仮固定するので、梱包等の必要がなく管径の異なる複数の有孔管を一纏めにすることができる。また、仮固定ピンの係止部が複数の有孔管のいずれかの管の孔に係止されているとともに、複数の有孔管は仮固定部で管同士のスライド移動が拘束されているので、運搬時の荷崩れの心配がなく不用意に複数の有孔管の一部が突出する事故を確実に防止することができる。また、仮固定ピンは、把持部を把持して引き抜くだけで、管同士のスライド移動が可能となるため、施工現場での梱包を外す作業も必要ない。
【００１９】
特に、第２発明によれば、挿入方向にも引き抜き方向にも傾斜部が形成されているので、仮固定ピンの挿抜が極めて容易に短時間で行える。
【００２０】
特に、第３発明によれば、仮固定ピンが全体として一端が開放された側面視コの字状となっているので、２か所の孔で係止されていることとなり、仮固定ピンが不用意に抜け落ちるおそれが低減される。
【００２１】
特に、第４発明によれば、仮固定ピンの係止部が同じ高さに設けられているので、仮固定ピンの挿入と引き抜きが容易に行える。
【００２２】
特に、第５発明によれば、仮固定ピンの係止部が異なる高さに設けられているので、係止部が係止される管が異なることとなる。よって、仮固定ピンが振動等によりガタついて抜けるおそれを低減することができる。
【００２３】
特に、第６発明によれば、係止部の突出する向きが左右対称となっているので、左右の係止部を加工する手間が一度で行え、加工工数を削減して仮固定ピンの製作コストを低減することができる。
【００２４】
第８発明によれば、多段式排水パイプを容易に安全に施工現場まで運搬して搬入することができるとともに、不用意に多段式排水パイプの一部が突出する事故を確実に防止するができる。
【図面の簡単な説明】
【００２５】
【図１】本実施形態に係る多段式排水パイプを傾斜した地面に設置した状態を鉛直断面で模式的に示した断面図である。
【図２】本発明の実施形態に係る多段式排水パイプを示す斜視図である。
【図３】同上の多段式排水パイプを中間省略して示す側面図である。
【図４】同上の多段式排水パイプの外管と中管との接合部分である継手形状を、中管部分を断面で示し、中管部分を側面図で示す部分切断断面図である。
【図５】本発明の第１実施形態に係る有孔管の仮固定ピンを示す斜視図である。
【図６】同上の有孔管の仮固定ピンを示す正面図である。
【図７】本発明の仮固定ピンの把持部の変形例を示す正面図であり、（ａ）が変形例１に係る仮固定ピン、（ｂ）が変形例２に係る仮固定ピン、（ｃ）が変形例３に係る仮固定ピンを示している。
【図８】本発明の仮固定ピンの脚部の変形例を示す正面図であり、（ａ）が変形例１に係る仮固定ピン、（ｂ）が変形例２に係る仮固定ピン、（ｃ）が変形例３に係る仮固定ピンを示している。
【図９】本発明の仮固定ピンの脚部の変形例を示す正面図であり、（ａ）が変形例４に係る仮固定ピン、（ｂ）が変形例５に係る仮固定ピンを示している。
【図１０】本実施形態に係る仮固定ピンの挿入方法を示す多段式排水パイプの拡大側面図である。
【図１１】仮固定ピンを挿入した状態を示す多段式排水パイプの拡大断面図である。
【図１２】本実施形態に係る多段式排水パイプの施工方法の各工程を示すフローチャートである。
【図１３】同上の多段式排水パイプの施工方法における多段式排水パイプの運搬時の状態を中間省略で示す側面図である。
【図１４】同上の多段式排水パイプの施工方法の架台設置工程を示す写真である。
【図１５】同上の多段式パイプの施工方法の第１押出工程を示す工程説明図である。
【図１６】同上の多段式パイプの施工方法の第２押出工程を示す工程説明図である。
【図１７】同上の多段式パイプの施工方法の第３押出工程を示す工程説明図である。
【発明を実施するための形態】
【００２６】
以下、本発明の実施形態に係る有孔管の仮固定ピン及びそれを用いた多段式排水パイプの施工方法について、図面を参照しながら詳細に説明する。
【００２７】
＜多段式排水パイプ＞
先ず、図１〜図４を用いて、本発明に係る有孔管の仮固定ピンで仮固定する有孔管として多段式排水パイプを例示して簡単に説明する。
【００２８】
図１は、本実施形態に係る多段式パイプを傾斜した地面に設置した状態を鉛直断面で模式的に示した断面図である。図１に示すように、本実施形態に係る有孔管である多段式排水パイプ１０は、鉄道、道路、宅地等の盛土や切土などの土工構造物において、セメント被覆等がされていない未被覆の土の斜面に貫入される。そして、この多段式排水パイプ１０は、地下水を排水して、降雨時の地下水位の上昇を抑制するとともに、地震時の過剰間隙水圧を消散して、前記斜面の耐降雨性や耐震性を高める機能を有している。勿論、この多段式排水パイプ１０は、土工構造物などの人工斜面だけでなく丘陵地や段差地などの自然斜面にも適用できることは云うまでもない。
【００２９】
この多段式排水パイプ１０は、板厚2.3ｍｍの高耐食性のメッキ鋼管で長さが２ｍ程度となった大中小の管径の異なる３つの管を備えている。多段式排水パイプ１０は、図２、図３に示すように、最大径の管である外管１１と、中管１２と、最小径の管である内管１３と、内管１３の先端に装着される先端キャップ１４など、から構成されている。このため、中管１２は、外管１１に収容可能であり、内管１３は、中管１２に収容可能となっている。
【００３０】
また、これらの外管１１、中管１２、内管１３には、図３、図４等に示すように、共通してそれぞれ地下水や過剰間隙水を透水する集水孔Ｈ１が、多数穿設されており、一度に多くの排水が可能となっている。このため、近年の異常降雨にも対応することができる。
【００３１】
図４は、本実施形態に係る多段式排水パイプ１０の外管１１と中管１２との接合部分である継手形状を、外管１１部分を断面で示し、中管１２部分を側面図で示す部分切断断面図である。図４に示すように、外管１１の先端部は、テーパー部分を経て徐々に縮径されているとともに、中管１２の後端部は、テーパー部分を経て徐々に拡径されている。また、伸長時に外管１１の先端部と中管１２の後端部とがテーパー部分において互いに嵌合するように構成されている。
【００３２】
同様に、中管１２の先端部は、縮径されているとともに、内管１３の後端部は、拡径され、伸長時に中管１２の先端部と内管１３の後端部とが互いに嵌り合って突没自在に嵌合する構成となっている。なお、先端とは、多段式排水パイプ１０を地面に押し出して貫入させる際の進行方向（貫入方向）の管体の端部を指し、後端とは、その反対側の端部を指している（以下同じ）。
【００３３】
多段式排水パイプ１０は、管体同士の接合部分がこのような構成となっているため、貫入治具を用いて多段式排水パイプ１０の後端が押し出されるので、外管１１、中管１２、内管１３を順次地中に押し出して突没自在で伸縮可能となっている。また、前述のように、管同士の接合部分が、それぞれ先端が縮径されているとともに、後端が拡径されているため、管同士の嵌合が完了する長さまで、多段式排水パイプ１０を伸ばして貫入することができる仕組みとなっている。本実施形態に係る多段式排水パイプ１０は、伸長時において全長６ｍ程度となる。
【００３４】
以上説明した本実施形態に係る多段式排水パイプ１０によれば、入れ子形式の押出式構造となっているので、貫入治具により多段式排水パイプ１０の後端が押し出されるので、外側の径の大きな外管１１から順次土の斜面への貫入が完了する仕組みとなっている。このため、貫入時のパイプと土の摩擦抵抗を分割でき、従来であれば、プレボーリングが必要な長尺な排水パイプであっても斜面の地盤を緩めることなく、設置することができる。
【００３５】
また、多段式排水パイプ１０によれば、貫入時の摩擦抵抗を分割できるため、大型の重機を必要とせず、狭隘な現場や重機の搬入ができない場所でも排水パイプの設置が可能である。そのうえ、従来の排水パイプより長尺な排水パイプを設置できるため、広範囲の地中水を集水して排水可能である。
【００３６】
それに加え、多段式排水パイプ１０によれば、プレボーリングを不要とすることで、排水パイプの施工コストを低減することができる。また、高耐食性のめっき鋼管を用いることにより、材料コストを低減することができるだけでなく、メンテナンス費用を低減してライフサイクルコストを削減することができる。
【００３７】
＜仮固定ピン＞
［第１実施形態］
次に、図５、図６を用いて、本発明の第１実施形態に係る有孔管の仮固定ピン１について説明する。前述の多段式排水パイプ１０の集水孔Ｈ１に挿入されて、多段式排水パイプ１０の外管１１、中管１２、内管１３の各管がスライド移動して不用意に外管１１から中管１２や内管１３が突出することを防止する場合を例示して説明する。図５は、本発明の第１実施形態に係る有孔管の仮固定ピン１を示す斜視図であり、図６は、図５の有孔管の仮固定ピン１を示す正面図である。
【００３８】
第１実施形態に係る仮固定ピン１は、ステンレスなどの線材から全ての部位が折り曲げ加工され、下端が開放された側面視コの字状の止め金具である。この仮固定ピン１は、挿抜の際に把持して掴む把持部２と、この把持部２と接続して把持部２の両端が折り返された左右一対の脚部３など、から構成されている。
【００３９】
この仮固定ピン１は、有孔管の孔である前述の多段式排水パイプ１０の集水孔Ｈ１などに脚部３が差し込まれて、多段式排水パイプ１０の外管１１、中管１２、内管１３の各管のスライド移動を一時的に仮固定するものとして用いられる。
【００４０】
（把持部）
本実施形態に係る仮固定ピン１の把持部２は、図５、図６に示すように、直線状の把持部本体２０を備えた挿抜の際に把持して掴む部位である。この把持部２は、直線状の把持部本体２０に指を掛け、仮固定ピン１を引き抜いたり、把持部本体２０を押圧して押し込んだりして脚部３を集水孔Ｈ１に挿抜するのに用いられる。
【００４１】
次に、図７を用いて、本発明の仮固定ピンの把持部の別の実施形態である変形例１〜３について説明する。図７は、本発明の仮固定ピンの把持部の変形例を示す正面図であり、（ａ）が変形例１に係る仮固定ピン、（ｂ）が変形例２に係る仮固定ピン、（ｃ）が変形例３に係る仮固定ピンを示している。
【００４２】
図７に示すように、前述の把持部２の変形例としては、（ａ）に示す変形例１に係る把持部である半円の円弧状の把持部本体２１が考えられる。また、（ｂ）に示す変形例２に係る把持部である円形状の把持部本体２２、（ｃ）に示す変形例３に係る把持部である円形状のものを前述の直線状の把持部本体２０に溶接した把持部本体２３等が考えられる。このような把持部とすることで、後述の仮固定部３２の長さＬ３に拘わらず、指の掛かり代（スペース）をとることができ、仮固定ピンの挿抜がより一層容易となる。勿論、本発明に係る把持部は、これら図示したものに限られず、把持して仮固定ピンを孔から挿抜可能な構成であればよいことは云うまでもない。
【００４３】
（脚部）
本実施形態に係る仮固定ピン１の脚部３は、把持部本体２０を左右均等に分断する中心線を軸として線対称に左右一対設けられ、多段式排水パイプ１０の集水孔Ｈ１にそれぞれ差し込まれる部位である。本実施形態に係る仮固定ピン１の脚部３と脚部３の間隔は、多段式排水パイプ１０の軸方向に沿った集水孔Ｈ１の間隔と同程度（例えば、25mm程度）に設定されている。勿論、本発明に係る脚部同士の間隔は、仮固定する管の孔の間隔に合せればよく、適宜設定すればよいことは云うまでもない。
【００４４】
各脚部３は、それぞれ先端から順に、ガイド部３０と、係止部３１と、仮固定部３２となっている。なお、先端とは、把持部２と接続しない側面視コの字状の開放された端を指し、図示状態では下端を指す（以下同じ）。
【００４５】
（ガイド部）
ガイド部３０は、線材からなる直線状の部位であり、孔に挿通する際のガイドとして機能する。このため、ガイド部３０の長さＬ１（直線部分の長さ）は、仮止めする有孔管の孔同士の間隔、即ち、重ね合わせて収容している際の多段式排水パイプ１０の外管１１と中管１２の集水孔Ｈ１同士の外−外の間隔（最大間隔）以上あることが望ましい。また、ガイド部３０の長さＬ１は、多段式排水パイプ１０を仮止めする場合は、外管１１の集水孔Ｈ１と内管１３の集水孔Ｈ１の外−外の間隔以上であることがさらに好ましい。
【００４６】
ガイド部３０の長さＬ１が、前記間隔以上であれば、仮固定ピン１を差し込む際に、後述の係止部３１が、外管１１の集水孔Ｈ１に当接する前に、直線状のガイド部３０が内管１３の集水孔Ｈに挿通されることとなる。このため、係止部３１が外管１１の集水孔Ｈ１に当接しても、仮固定ピン１が内管１３の集水孔Ｈ１からずれるおそれがなく、仮固定ピン１をスムーズに多段式排水パイプ１０の集水孔Ｈ１に挿通することができるからである。
【００４７】
（係止部）
係止部３１は、ガイド部３０と同一の線材からなり、ガイド部３０と連続し、脚部３の間となる内側へ折り曲げられて湾曲した「くの字状」の部位である。この係止部３１は、図６に示すように、前述の直線状のガイド部３０の軸と傾斜し、挿入時に集水孔Ｈ１と当接する第一傾斜部３１ａと、後述の仮固定部３２の軸と傾斜し、引き抜き時に集水孔Ｈ１と当接する第二傾斜部３１ｂと、を有している。
【００４８】
また、第一傾斜部３１ａと第二傾斜部３１ｂが接合する係止部３１の頂部３１ｃは、ガイド部３０又は仮固定部３２が集水孔Ｈ１に挿通されている状態で、集水孔Ｈ１を越えない高さとなっている。即ち、ガイド部３０及び仮固定部３２の外側から頂部３１ｃまでの水平距離Ｌ２は、集水孔Ｈ１の外径より大きくなっている。
【００４９】
このため、仮固定ピン１を集水孔Ｈ１に挿入又は引き抜く際は、係止部３１が弾性変形しながら集水孔Ｈ１を通過することとなり、一定の力を加えないと引き抜き等がされないようになっている。よって、仮固定ピン１が係止部３１により各管の集水孔Ｈ１の内周面に係止可能で、且つ、挿抜自在となっている。
【００５０】
（仮固定部）
仮固定部３２は、第二傾斜部３１ｂと連続し、前述のガイド部３０及び係止部３１と同一の線材からなる直線状の部位であり、外管１１、中管１２、内管１３の各管の集水孔Ｈ１に挿通されることで、スライド移動を一時的に拘束する機能を有している。
【００５１】
このため、仮固定部３２の長さＬ３は、外管１１の集水孔Ｈ１と内管１３の集水孔Ｈ１の外−外の間隔以上であることが好ましく、さらに前記間隔に、指を差し込むスペース（例えば、１２〜１４ｍｍ程度）を加えた間隔以上であることが好ましい。指を外管１１と把持部２との間に差し込んで、仮固定ピン１を脱着することが容易となるからである。
【００５２】
次に、図８、図９を用いて、本発明の仮固定ピンの脚部の別の実施形態である変形例１〜５について説明する。図８は、本発明の仮固定ピンの脚部の変形例を示す正面図であり、（ａ）が変形例１に係る仮固定ピン、（ｂ）が変形例２に係る仮固定ピン、（ｃ）が変形例３に係る仮固定ピンを示している。図９は、本発明の仮固定ピンの脚部の変形例を示す正面図であり、（ａ）が変形例４に係る仮固定ピン、（ｂ）が変形例５に係る仮固定ピンを示している。
【００５３】
図８（ａ）に示す変形例１に係る脚部３が、第１実施例に係る脚部３と相違する点は、係止部の突出方向が逆で外側へ折り曲げられて湾曲した「くの字状」の係止部３３となっている点だけである。
【００５４】
図８（ｂ）に示す変形例２に係る脚部３が、第１実施例に係る脚部３と相違する点は、図示右側の脚部が全部直線状となった直線状脚部３４となっている点だけである。また、図８（ｃ）に示す変形例３に係る脚部３は、図示左側の脚部が、変形例１に係る脚部３と同一形状であり、右側の脚部が直線状脚部３４となっている。
【００５５】
図９（ａ）に示す変形例４に係る脚部３は、左側の脚部３が内側へ湾曲した係止部３１となっており、右側の脚部３が外側へ湾曲した係止部３３となっている。そして、左側のガイド部３０’の長さＬ４が、第１実施形態に係るガイド部３０の長さＬ１より長くなっているとともに、左側の仮固定部３２’の長さＬ５が、第１実施形態に係る仮固定部３２の長さＬ３より短くなっている。また、右側のガイド部３０”の長さＬ６が、第１実施形態に係るガイド部３０の長さＬ１より短くなっているとともに、右側の仮固定部３２”の長さＬ７が、第１実施形態に係る仮固定部３２の長さＬ３より長くなっている。
【００５６】
図９（ｂ）に示す変形例５に係る脚部３は、変形例４に係る脚部３と係止部の湾曲方向が相違しているだけである。即ち、変形例５に係る脚部３は、左側の脚部３が外側へ湾曲した係止部３３となっており、右側の脚部３が内側へ湾曲した係止部３１となっている。そして、左側のガイド部３０’の長さＬ４が、第１実施形態に係るガイド部３０の長さＬ１より長くなっているとともに、左側の仮固定部３２’の長さＬ５が、第１実施形態に係る仮固定部３２の長さＬ３より短くなっている。また、右側のガイド部３０”の長さＬ６が、第１実施形態に係るガイド部３０の長さＬ１より短くなっているとともに、右側の仮固定部３２”の長さＬ７が、第１実施形態に係る仮固定部３２の長さＬ３より長くなっている。
【００５７】
なお、仮固定部３２’の長さＬ５は、外管１１の集水孔Ｈ１と内管１３の集水孔Ｈ１の外−外の間隔以上であることが好ましい。勿論、本発明に係る脚部は、これら図示したものに限られず、左右いずれか一方に係止部が形成され、複数の有孔管の孔同士を挿通する長さがあれば構わない。
【００５８】
以上、第１実施形態に係る仮固定ピン１及び別の実施形態である変形例を説明したが、把持部２の第１実施形態及びその変形例１〜３と、脚部３の第１実施形態及びその変形例１〜５組み合わせてさらに別の実施形態としてもよいことは云うまでもない。
【００５９】
＜仮固定ピンの挿抜方法＞
次に、図１０、図１１を用いて、本実施形態に係る仮固定ピン１の挿抜方法（着脱方法）について説明する。図１０は、本実施形態に係る仮固定ピン１の挿入方法を示す多段式排水パイプの拡大側面図であり、図１１は、仮固定ピン１を挿入（装着）した状態を示す多段式排水パイプの拡大断面図である。前述の多段式排水パイプ１０の集水孔Ｈ１に第１実施形態に係る仮固定ピン１を装着して外管１１、中管１２、内管１３の各管の相対的なスライド移動を一時的に仮固定する場合を例示して説明する。
【００６０】
先ず、管径の異なる複数の有孔管である多段式排水パイプ１０の外管１１、中管１２、内管１３の全ての管を最大径の外管１１の管内に収容して一纏めにし、罫書や治具等を利用して外管１１、中管１２、内管１３の各管の集水孔Ｈ１の位置を揃える。次に、図１０、図１１に示すように、外管１１の軸方向に沿って隣接する２つの集水孔Ｈ１に、前述の仮固定ピン１の左右一対の脚部３、３をそれぞれ挿通する。
【００６１】
集水孔Ｈ１に脚部３を挿通する際は、縦に揃った状態の各管の集水孔Ｈ１に前述の直線状のガイド部３０（図６等参照）をまっすぐに指し込む。すると係止部３１の第一傾斜部３１ａが外管１１の集水孔Ｈ１周りの外周面に当接する際には、ガイド部３０の先端は、内管１３の集水孔Ｈ１に挿通されている。このため、係止部３１を集水孔Ｈ１に押し込んで弾性変形させる際には、ガイド部３０が内管１３の集水孔Ｈ１に係止されることとなり、横方向（水平方向）に脚部３がずれることを防止することができる。つまり、ガイド部３０でガイドしつつ集水孔Ｈ１に脚部３を挿入することができ、仮固定ピン１の挿入が極めて容易に短時間で行える。
【００６２】
仮固定ピン１を引き抜く場合も、係止部３１の第二傾斜部３１ｂが内管１３の集水孔Ｈ１の内周面に当接させて引き抜く際には、仮固定部３２が外管１１や中管１２の集水孔Ｈ１に挿通されている。このため、脚部３の横方向への移動が拘束されることとなり、仮固定ピン１の引き抜きが極めて容易に短時間で行える。
【００６３】
［多段式排水パイプの施工方法］
次に、図１０〜図１７を用いて、本発明の実施形態に係る多段式排水パイプの施工方法について説明する。貫入治具を用いて前述の多段式排水パイプ１０を地面（土の斜面）に貫入させて施工する場合で説明する。なお、多段式排水パイプ１０の貫入に用いる重機は、油圧重機である油圧ショベルの先端にブレーカーＢを取り付けた０．２ｍ3級の重機等が好ましいが、手持ちの振動圧入装置を用いて貫入してもよい。
【００６４】
図１２は、本実施形態に係る多段式排水パイプの施工方法の各工程を示すフローチャートであり、図１３は、本実施形態に係る多段式排水パイプの施工方法における多段式排水パイプの運搬時の状態を中間省略で示す側面図である。
【００６５】
（１）仮固定ピン装着工程
先ず、本実施形態に係る多段式排水パイプの施工方法では、図１２、図１３に示すように、多段式排水パイプ１０を製造した工場等で仮固定ピン１を集水孔Ｈ１に挿入して多段式排水パイプ１０に仮固定ピン１を装着する仮固定ピン装着工程を行う。具体的には、前述の仮固定ピンの挿入方法に従って、仮固定ピン１を集水孔Ｈ１に挿入する（図１０、図１１、図１３参照）。
【００６６】
これにより、多段式排水パイプ１０の外管１１、中管１２、内管１３の各管のスライド移動を一時的に仮固定し、運搬時に外管１１から中管１２や内管１３が不用意に突出することを防止できるとともに、従来必要であった梱包作業等を省略することができる。
【００６７】
（２）排水パイプ搬入工程
次に、本実施形態に係る多段式排水パイプの施工方法では、図１２に示すように、前工程で一纏めにした多段式排水パイプ１０を設置する施工現場まで搬送する排水パイプ搬入工程を行う（図示せず）。
【００６８】
具体的には、搬送車両で搬送した後、多段式排水パイプ１０を搬送車両から揚重装置等を用いて荷降ろしし、手運びや台車等を用いて設置位置まで搬送する。このため、梱包を外す作業も必要ない。
【００６９】
（３）位置決め工程
次に、本実施形態に係る多段式排水パイプの施工方法では、図１２に示すように、多段式排水パイプ１０の貫入位置を位置決めする位置決め工程を行う（図示せず）。具体的には、本工程では、地盤調査や測量等により多段式排水パイプ１０を斜面に貫入させる位置、貫入角度等を特定し、マーキング等により目印を付ける。
【００７０】
（４）架台設置工程
次に、本実施形態に係る多段式排水パイプの施工方法では、図１２に示すように、多段式排水パイプ１０を貫入させる作業の事前準備として、架台を組み立てて設置する架台設置工程を行う。図１４は、本実施形態に係る多段式排水パイプの施工方法の架台設置工程を示す写真である。図１４に示すように、具体的には、本工程では、クランプ等を用いて単管パイプを鳥居状に組むとともに、倒れないように斜面に対して控えの単管パイプを組み、その控えのパイプがずれないように支保工で支える。この架台の鳥居状の横パイプにより多段式排水パイプ１０の貫入方向の規定が容易となる。
【００７１】
（５）仮固定ピン引き抜き工程
設置位置において、前述の仮固定ピンの挿抜方法に従って把持部２に指を引っ掛けて仮固定ピン１を引き抜く。これにより、多段式パイプ１０はスライド可能になり、貫入が可能になる。
【００７２】
（６）第１押出工程
次に、本実施形態に係る多段式パイプの施工方法では、図１２に示すように、ブレーカーＢに装着した貫入治具を用いて、仮固定ピン１が引き抜かれた多段式排水パイプ１０全体を斜面に貫入させる第１押出工程を行う。図１５は、本実施形態に係る多段式パイプの施工方法の第１押出工程を示す工程説明図である。本工程では、図１５に示すように、ブレーカーＢでチゼルＴを振動させつつ、チゼルＴに装着された貫入治具で多段式排水パイプ１０全体を押し出して斜面に貫入させる。
【００７３】
（７）第２押出工程
次に、本実施形態に係る多段式パイプの施工方法では、図１２に示すように、押出プレートを装着した貫入治具Ｊを用いて、中管１２及び内管１３を斜面にさらに貫入させる第２押出工程を行う。図１６は、本実施形態に係る多段式パイプの施工方法の第２押出工程を示す工程説明図である。
【００７４】
本工程では、図１６に示すように、ブレーカーＢでチゼルＴを振動させつつ、チゼルＴに装着された貫入治具Ｊの押出プレートで中管１２の後端部を押圧する。それと同時に、貫入治具Ｊの押出ナットで内管１３の後端部を押し出す。これにより、中管１２と内管１３を斜面の奥深くにさらに貫入させる。
【００７５】
（８）第３押出工程
次に、本実施形態に係る多段式パイプの施工方法では、図１２に示すように、押出プレートを撤去した貫入治具Ｊを用いて、多段式排水パイプ１０の内管１３を斜面にさらに貫入させる第３押出工程を行う。図１７は、本実施形態に係る多段式パイプの施工方法の第３押出工程を示す工程説明図である。
【００７６】
本工程では、図１７に示すように、ブレーカーＢでチゼルＴを振動させつつ、チゼルＴに装着された貫入治具Ｊの押出ナットで内管１３の後端部を押し出して、内管１３を所定の深さまで斜面に貫入させる。
【００７７】
本工程が終了すれば、設置した架台等を撤去し、後片付けをすることにより、多段式排水パイプ１０の設置作業が全て終了する。
【００７８】
以上説明した本実施形態に係る仮固定ピン１及び仮固定ピン１を用いた多段式パイプの施工方法によれば、多段式排水パイプ等を一纏めにする際に仮固定ピン１を一か所に差し込むだけで梱包等の必要がない。また、仮固定ピン１の係止部３１が内管１３の集水孔Ｈ１に係止されているとともに、仮固定部３２で外管１１〜内管１３の管同士のスライド移動が拘束されている。このため、運搬時の多段式排水パイプ１０の荷崩れの心配がなく運搬時に外管１１から中管１２や内管１３が不用意に突出することを防止することができる。その上、仮固定ピン１は、把持部２を把持して引き抜くだけで、管同士のスライド移動が可能となるため、施工現場での梱包を外す作業も必要ない。
【００７９】
以上、本発明の実施形態に係る仮固定ピン１及び仮固定ピン１を用いた多段式パイプの施工方法について詳細に説明したが、前述した又は図示した実施形態は、いずれも本発明を実施するにあたって具体化した一実施形態を示したものに過ない。よって、例示した実施形態によって本発明の技術的範囲が限定的に解釈されてはならないものである。
【００８０】
特に、ステンレスの線材からなる仮固定ピンを例示して説明したが、他の鋼材やその他の金属又は樹脂等から構成されていても構わない。要するに、本発明に係る仮固定ピンは、弾性変形可能で有孔管のスライド移動を拘束できる強度を有していればどのような素材から構成されていてもよい。
【符号の説明】
【００８１】
１：仮固定ピン
２：把持部
２０、２１、２２、２３：把持部本体
３：脚部
３０、３０’：ガイド部
３１、３３：係止部
３１ａ：第一傾斜部
３１ｂ：第二傾斜部
３１ｃ：頂部
３２、３２’：仮固定部
３４：直線状部
１０：多段式排水パイプ
１１：外管
１２：中管
１３：内管
Ｈ１：集水孔
Ｂ：ブレーカー
Ｔ：チゼル
Ｊ：貫入治具
【図１】
2018165445.tif 000003
【図２】
2018165445.tif 000004
【図３】
2018165445.tif 000005
【図４】
2018165445.tif 000006
【図５】
2018165445.tif 000007
【図６】
2018165445.tif 000008
【図７】
2018165445.tif 000009
【図８】
2018165445.tif 000010
【図９】
2018165445.tif 000011
【図１０】
2018165445.tif 000012
【図１１】
2018165445.tif 000013
【図１２】
2018165445.tif 000014
【図１３】
2018165445.tif 000015
【図１４】
2018165445.tif 000016
【図１５】
2018165445.tif 000017
【図１６】
2018165445.tif 000018
【図１７】
2018165445.tif 000019